(57)【特許請求の範囲】
【請求項１】
上部に籾殻投入口を設けるとともに底部に籾殻排出口を設けてなる鋼板製の籾殻タンクの周囲を筒状の外壁で囲繞してそれらの間に形成される空間を塵埃沈降室となし、前記筒状外壁の筒身部に、集塵ファンを介して一端を穀物乾燥機又は粗選機に接続された集塵ダクトの他端部を連結し、前記塵埃沈降室の下部を集塵室となす一方、前記筒状外壁の上端に天板を設けるとともに該天板の中央部には前記塵埃沈降室と連通する排気口を開口することを特徴とするカントリーエレベータにおける集塵装置。
【請求項２】
前記集塵室に塵埃取出用開口部を設けてなる請求項１のカントリーエレベータにおける集塵装置。
【発明の詳細な説明】
【技術分野】
【０００１】
本発明は大規模穀物乾燥調整貯蔵施設（カントリーエレベータ）に係り、特に、カントリーエレベータにおける集塵装置に関する。
【背景技術】
【０００２】
従来、カントリーエレベータは周知である（例えば、特許文献１及び２を参照）。
この種のカントリーエレベータにについて、図５を参照して説明する。生産者から穀物を受け入れるホッパ３を設けるとともに夾（きょう）雑物を除去する荷受・粗選設備２、生籾（もみ）等を乾燥する複数の穀物乾燥機１０、乾燥後の籾米等を精選する精選設備５、精選後の籾米等を脱ぷ処理する籾摺（すり）機７を備えた調製設備６、及び玄米タンク９等を備えた出荷設備8等を備える。そして、前記各設備類を収納する機械室建屋１が設けられるとともに、この機械室建屋１に近接して籾米等を貯留する複数のサイロからなるサイロ列１１が設置される。そして、前記機械室建屋１の屋外には、前記籾摺機７に近接して籾殻タンク１２が立設されるとともに、前記複数の穀物乾燥機１０に近接して集塵装置１３が設けられる。
【０００３】
前記籾殻タンク１２は、前記籾摺機７で脱ぷ処理を行う際に大量に発生する籾殻を貯蔵する鋼板製のタンクである。この種の籾殻貯蔵設備としては、特許文献３及び４に記載される籾殻収納用の建屋である籾殻庫が知られているが、近年の建設費高騰の傾向でコスト高の問題があり、近年は鋼板製タンクが採用されつつある。  
【０００４】
前記集塵装置１３は、前記穀物乾燥機１０や前記荷受・粗選設備２から発生する塵埃（じんあい）等を集塵処理する設備である。この種の集塵装置は湿式又は乾式の処理方式があるが、いずれも建築費及び設備費がコスト高となっている。さらに、定期的なメンテナンスが必要であり、湿式の場合、汚水処理に費用を要する一方、乾式の場合は汚水処理は不要であるが、湿式に比して初期投資が高額となる。
【先行技術文献】
【特許文献】
【０００５】
【特許文献１】特開平５−３０１０５２
【特許文献２】特開２００４−３２１０６４
【特許文献３】特開平６−３１９９３１
【特許文献４】特開平１０−７６１６９
【発明の概要】
【発明が解決しようとする課題】
【０００６】
そこで、本発明は、建設費を抑えることができるカントリーエレベータにおける集塵装置を提供することを目的とする。
【課題を解決するための手段】
【０００７】
上記目的を達成するため、本発明は、
上部に上部に籾殻投入口を設けるとともに底部に籾殻排出口を設けてなる鋼板製の籾殻タンクの周囲を筒状の外壁で囲繞（にょう）してそれらの間に形成される空間を塵埃沈降室となし、前記筒状外壁の筒身部に、集塵ファンを介して一端を穀物乾燥機又は粗選機に接続された集塵ダクトの他端部を連結し、前記塵埃沈降室の下部を集塵室となす一方、前記筒状外壁の上端に天板を設けるとともに該天板の中央部には前記塵埃沈降室と連通する排気口を開口することを特徴とする。
【０００８】
本発明は、前記集塵室に塵埃取出用開口部を設けることが好ましい。
【発明の効果】
【０００９】
本発明のカントリーエレベータにおける集塵装置は、鋼板製の籾殻タンクを囲繞して集塵装置となしたので、集塵装置と籾殻タンクとを個々に設ける場合に比べて設置面積が減少し、工期が短縮されるとともに建設コストが低減される。また、集塵装置の排気口が比較的高い（約２０メートル超）ので、極微小な塵埃が排出されたとしても本施設周囲に飛散することがない。
【図面の簡単な説明】
【００１０】
【図１】本発明の実施の形態における集塵装置の斜視図。
【図２】図１の集塵装置の一部破断正面図。
【図３】Ａ−Ａ線断面図。
【図４】Ｂ−Ｂ線断面図。
【図５】従来のカントリーエレベータを示す平面図。
【発明を実施するための形態】
【００１１】
本発明の実施の形態を図面に基づいて説明する。
図１は、本発明の実施の形態におけるカントリーエレベータにおける集塵装置の斜視図であり、図２は、図１の集塵装置の一部破断した正面図であり、図３は、図２におけるＡ−Ａ線断面図であり、図４は、同じくＢ−Ｂ線断面図を示す。
本発明の実施の形態における籾殻タンク１４は、高さ１６メートル、直径７メートルの鋼板製の筒状体であり、上壁１５には、籾殻ダクト（図示せず。）に接続される籾殻投入口１６を設ける一方、該籾殻タンク１４の下端から約５メートル上方に底壁１７を設けるとともに、該底壁１７には複数個の排出口（図示せず）を設け、前記底壁１７の下方空間を籾殻出荷室１８となす。
【００１２】
前記籾殻タンク１４の全体を囲繞するべく、高さが２３メートルで直径１１メートルの鋼板製筒状体からなる外壁体１９を設ける。前記外壁体１９の底部１９b（スカート部）には、前記籾殻出荷室１８に通じる一対の出入口２０a，２０bを対称的に設け、各出入口２０a，２０bにはシャッターを設けるとよい。
【００１３】
前記籾殻タンク１４と外壁体１９との間に形成される空間は塵埃沈降室２１となす。すなわち、籾殻タンク１４と外壁体１９との各筒身部間に形成される塵埃沈降室２１は、幅が２メートルの空間を有する立設したスリーブ形状に形成される。また、籾殻タンク１４の上壁１５と外壁１９の天板１９aとの間も２メートルの空間が形成されるとともに、前記籾殻タンク１４の上方の天板１９a中央部には円形の排気口２２が開口される。
【００１４】
前記外壁体１９の筒身部には、一端側を穀物乾燥機や粗選機及び集塵ファンに接続された複数の集塵ダクト２３の他端部を集合したダクトヘッダ２４が接線状に連結され（図４参照）、集塵ダクト２３で搬送される塵埃空気が塵埃沈降室２１内へ吐出するよう形成される。このダクトヘッダ２４は、必要に応じて等間隔に複数設けるとよい。
【００１５】
前記塵埃沈降室２１の底部、すなわち、前記籾殻タンク１４の底壁１７位置よりも下方を、籾殻排出室１８を挟んで一対の集塵室２５となし（図３参照）、前記塵埃沈降室２１内を沈降する塵埃等を該集塵室２５内に貯留する。前記各集塵室２５には、塵埃取出口２６及び該塵埃取出口２６を開閉する扉２７をそれぞれ設ける。
【００１６】
前記外壁体１９の天板１９aには排気口２２を開口するので、前記籾殻タンク１４の上壁１５に溜まる雨水を外壁体１９外に排出するための雨樋２８を設けるとよい（図２参照）。
【００１７】
以上のように、本発明の実施の形態によれば、複数の穀物乾燥機や粗選機等から排出される塵埃を含んだ排風は、集塵ファン（図示せず）を介して集塵ダクト２３によって搬送され、ダクトヘッダ２４から塵埃沈降室２１内へ吐出される。塵埃沈降室２１内の含塵空気は遠心力によって塵埃沈降室２１に沿って旋回しながら遠心分離され、塵埃は重力沈降する。含塵空気は更に上昇して天板１９aに衝突し、塵埃は慣性力によって沈降する一方、清浄空気は排気口２２から機外へ排気される。
【００１８】
塵埃沈降室２１内を上昇する含塵空気の風速は毎秒０．５メートル程度とし、含塵空気が塵埃沈降室２１内を約１０秒間滞留するものとする。
【００１９】
塵埃沈降室２１内を沈降する塵埃は、一対の集塵室２５内へ堆積され、籾殻出荷室１８において、塵埃取出口２６から適宜、排出される。
【産業上の利用可能性】
【００２０】
本発明は、カントリーエレベータにおける籾殻タンクの周囲に外壁体を囲繞して塵埃沈降室を形成することにより、集塵装置を個別に設ける必要がなく、設置面積を少なくするとともに建設費やランニングコストを大幅に低減できて極めて有用である。
【符号の説明】
【００２１】
１      機械室建屋
２      荷受・粗選設備
３      荷受ホッパ
４      粗選装置
５      精選設備
６      調製設備
７      籾摺機
８      出荷設備
９      玄米タンク
１０    穀物乾燥機
１１    サイロ列
１２    籾殻タンク
１３    集塵装置
１４    籾殻タンク
１５    上壁
１６    籾殻投入口
１７    底壁
１８    籾殻出荷室
１９    外壁体
１９a   天板
１９ｂ  スカート部
２０a，２０b  出入口
２１    塵埃沈降室
２２    排気口
２３    ダクト
２４    ダクトヘッダ
２５    集塵室
２６    塵埃取出口
２７    扉
２８    雨樋
【図１】
0006465455.tif 000002
【図２】
0006465455.tif 000003
【図３】
0006465455.tif 000004
【図４】
0006465455.tif 000005
【図５】
0006465455.tif 000006